(57)【要約】【課題】従来技術では、冷蔵室蒸発器の除霜時には除霜用加熱ヒータを必要としないが、冷凍室蒸発器の除霜時には除霜用加熱ヒータを必要としていた。また、除霜時には冷蔵室内や冷凍室内の温度上昇を来たす恐れもある。本発明は、冷凍室冷却用蒸発器でも除霜用加熱ヒータを必要としないで、かつ、除霜時でも室内の温度上昇を防止できる冷蔵庫を提供する。【解決手段】一個の圧縮機と複数の蒸発器等からなる一連の冷凍サイクルを有し、複数の蒸発器にそれぞれ冷気循環用ファンと冷気吐出用吐出ダンパーを独立に設置して、一個の蒸発器を冷凍用蒸発温度とし、他の蒸発器を霜や氷の生成しない冷蔵用蒸発温度として所定時間運転した後、前記の蒸発器を冷凍用蒸発温度から霜や氷の融解する冷蔵用蒸発温度に切り替えると共に、後記の蒸発器を冷蔵用蒸発温度から冷凍用蒸発温度に切り替える。【選択図】  図１
2004324943.tif 000002
【特許請求の範囲】
【請求項１】
一個の圧縮機と複数の蒸発器等からなる一連の冷凍サイクルを有した冷蔵庫において、複数の蒸発器にそれぞれ、冷蔵用蒸発温度と冷凍用蒸発温度を任意に造りだす絞り機構を設置したことを特徴とする冷蔵庫。
【請求項２】
一個の圧縮機と複数の蒸発器等からなる一連の冷凍サイクルを有した冷蔵庫において、複数の蒸発器にそれぞれ、冷蔵用蒸発温度と冷凍用蒸発温度および冷凍用蒸発温度より低温の冷凍低温用蒸発温度を任意に造りだす絞り機構を設置したことを特徴とする冷蔵庫。
【請求項３】
一個の圧縮機と複数の蒸発器等からなる一連の冷凍サイクルを有した冷蔵庫において、複数の蒸発器にそれぞれ冷蔵用蒸発温度と冷凍用蒸発温度を任意に造りだす絞り機構を設置し、かつ、複数の蒸発器にそれぞれ、凝縮器からの温冷媒を直接流入できるバイパス弁を設置したことを特徴とする冷蔵庫。
【請求項４】
一個の圧縮機と複数の蒸発器等からなる一連の冷凍サイクルを有した冷蔵庫において、複数の蒸発器にそれぞれ、冷蔵用蒸発温度と冷凍用蒸発温度を任意に造りだす絞り機構を設置し、かつ、複数の蒸発器にそれぞれ任意に冷媒を流入できる切換弁を設置したことを特徴とする冷蔵庫。
【請求項５】
一個の圧縮機と複数の蒸発器等からなる一連の冷凍サイクルを有した冷蔵庫において、複数の蒸発器にそれぞれ、冷蔵用蒸発温度と冷凍用蒸発温度を任意に造りだす絞り機構を設置し、かつ、複数の蒸発器にそれぞれ任意に冷媒を流入できると共に、複数の蒸発器に同時に冷媒を流入できる切換弁を設置したことを特徴とする冷蔵庫。
【請求項６】
一個の圧縮機と複数の蒸発器等からなる一連の冷凍サイクルを有した冷蔵庫において、複数の蒸発器にそれぞれ、冷気循環用ファンと冷気吐出用吐出ダンパーおよび冷気吸い込み用吸込ダンパーを設置したことを特徴とする冷蔵庫。
【請求項７】
一個の圧縮機と複数の蒸発器等からなる一連の冷凍サイクルを有した冷蔵庫において、複数の蒸発器にそれぞれ冷気循環用ファンと冷気吐出用吐出ダンパーを独立に設置し、かつ、吐出されたそれぞれの冷気を混合する冷気混合室を設置したことを特徴とする冷蔵庫。
【請求項８】
一個の圧縮機と複数の蒸発器等からなる一連の冷凍サイクルを有し、複数の蒸発器にそれぞれ冷気循環用ファンと冷気吐出用吐出ダンパーを独立に設置した冷蔵庫において、一個の蒸発器を冷凍用蒸発温度とし、他の蒸発器を霜や氷の生成しない冷蔵用蒸発温度として所定時間運転した後、前記の蒸発器を冷凍用蒸発温度から霜や氷の融解する冷蔵用蒸発温度に切り替えると共に、後記の蒸発器を冷蔵用蒸発温度から冷凍用蒸発温度に切り替えるように構成したことを特徴とする冷蔵庫。
【請求項９】
一個の圧縮機と複数の蒸発器等からなる一連の冷凍サイクルを有し、複数の蒸発器にそれぞれ冷気循環用ファンと冷気吐出用吐出ダンパーを独立に設置した冷蔵庫において、一個の蒸発器を冷凍用蒸発温度とし、他の蒸発器を霜や氷の生成しない冷蔵用蒸発温度として所定時間運転した後、前記の蒸発器に流入する冷媒を停止すると共に、後記の蒸発器を冷蔵用蒸発温度から冷凍用蒸発温度に切り替えるように構成したことを特徴とする冷蔵庫。
【請求項１０】
一個の圧縮機と複数の蒸発器等からなる一連の冷凍サイクルを有し、複数の蒸発器にそれぞれ冷気循環用ファンと冷気吐出用吐出ダンパーを独立に設置した冷蔵庫において、一個の蒸発器を冷蔵用蒸発温度とし、他の蒸発器を冷凍用蒸発温度として所定時間運転した後、前記の蒸発器に凝縮器から直接温冷媒を流入すると共に、後記の蒸発器を冷凍用蒸発温度から冷凍低温用蒸発温度に切り替え、かつ、後記の蒸発器で冷却した冷気の一部を冷蔵室内に吐出するように構成したことを特徴とする冷蔵庫。
【請求項１１】
一個の圧縮機と複数の蒸発器等からなる一連の冷凍サイクルを有し、複数の蒸発器にそれぞれ冷気循環用ファンと冷気吐出用吐出ダンパーを独立に設置した冷蔵庫において、一個の蒸発器を冷凍用蒸発温度とし、他の蒸発器を冷蔵用蒸発温度として所定時間運転した後、前記の蒸発器の蒸発温度を冷凍用蒸発温度から、冷凍用蒸発温度より低温の冷凍低温用蒸発温度に切換え、同時に、後記の蒸発器の蒸発温度を冷蔵用蒸発温度から冷凍用蒸発温度より低温の冷凍低温用蒸発温度に切換えたことを特徴とする冷蔵庫。
【請求項１２】
一個の圧縮機と複数の蒸発器等からなる一連の冷凍サイクルを有し、複数の蒸発器にそれぞれ冷気循環用ファンと冷気吐出用吐出ダンパーを独立に設置した冷蔵庫において、手動スイッチを操作することにより、複数の蒸発器がそれぞれ、冷凍用蒸発温度より低温の冷凍低温用蒸発温度を造りだすように構成したことを特徴とする冷蔵庫。
【発明の詳細な説明】
【０００１】
【発明の属する技術分野】
本発明は冷蔵庫に係わり、特に除霜ヒータを必要としない除霜方法と、冷気送風の流れを改善した冷蔵庫に関する。
【０００２】
【従来の技術】
除霜ヒータを必要としない従来の方式は、特開平１０−２６７５０４号公報の図２及び明細書記載のように、冷蔵室には冷蔵室蒸発器と冷蔵室ファンを固定設置し、冷凍室には冷凍室蒸発器と冷凍室ファンを固定設置して、かつ、冷蔵室蒸発器と冷凍室蒸発器を直列に接続して、冷蔵室蒸発器の除霜時には、冷凍室蒸発器への冷媒の供給を停止して冷蔵室蒸発器へ冷媒を滞留させるように構成したものであった。
【０００３】
また、他の冷気送風方法の従来例としては、特開平１０−４７８２６号公報の図２及び明細書記載のように、冷凍用エバポレータと冷蔵用エバポレータを直列に接続して、冷蔵用エバポレータの前後に第一の絞り装置と第二の絞り装置を接続し、冷蔵用エバポレータ等をバイパスする第三の絞り装置を冷凍用エバポレータに接続して、冷凍室冷却時は第三の絞り装置と冷凍用エバポレータを含む冷凍用冷凍サイクルで冷却し、冷蔵室冷却時は冷蔵用エバポレータと冷凍用エバポレータを含む冷蔵用冷凍サイクルで運転していた。
【０００４】
【特許文献１】
特開平１０−２６７５０４号公報
【特許文献２】
特開平１０−４７８２６号公報
【０００５】
【発明が解決しようとする課題】
上記従来技術では、冷蔵室蒸発器や冷蔵用エバポレータの除霜時には、除霜用加熱ヒータを必要としないが、冷凍室蒸発器や冷凍用エバポレータの除霜時には、除霜用加熱ヒータを必要としている。
【０００６】
また、冷蔵室蒸発器や冷蔵用エバポレータの除霜時には冷凍室内の温度上昇を来たす恐れのあるものであった。
【０００７】
従って、本発明は、冷凍室冷却用蒸発器でも除霜用加熱ヒータを必要としないで、かつ、除霜時でも冷凍室内の温度上昇を防止できる冷蔵庫を提供するにある。
【０００８】
【課題を解決するための手段】
上記課題を達成するために、本発明は、一個の圧縮機と複数の蒸発器等からなる一連の冷凍サイクルを有し、複数の蒸発器にそれぞれ、冷蔵用蒸発温度と冷凍用蒸発温度および冷凍用蒸発温度より低温の冷凍低温用蒸発温度を任意に造りだす絞り機構を設置した。
【０００９】
また、複数の蒸発器にそれぞれ、凝縮器からの温冷媒を直接流入できるバイパス弁を設置した。
【００１０】
また、複数の蒸発器にそれぞれ任意に冷媒を流入できると共に、複数の蒸発器に同時に冷媒を流入できる切換弁を設置した。
【００１１】
また、一個の圧縮機と複数の蒸発器等からなる一連の冷凍サイクルを有し、複数の蒸発器にそれぞれ、冷気循環用ファンと冷気吐出用吐出ダンパーおよび冷気吸い込み用吸込ダンパーを独立に設置し、かつ、吐出ダンパーより吐出されたそれぞれの冷気を混合する冷気混合室を設置した。
【００１２】
また、複数の蒸発器のうちの、一個の蒸発器を冷凍用蒸発温度とし、他の蒸発器を霜や氷の生成しない冷蔵用蒸発温度として所定時間運転した後、前記の蒸発器を冷凍用蒸発温度から霜や氷の融解する冷蔵用蒸発温度に切り替えると共に、後記の蒸発器を冷蔵用蒸発温度から冷凍用蒸発温度に切り替えるように構成した。
【００１３】
また、一個の蒸発器を冷凍用蒸発温度とし、他の蒸発器を霜や氷の生成しない冷蔵用蒸発温度として所定時間運転した後、前記の蒸発器に流入する冷媒を停止すると共に、後記の蒸発器を冷蔵用蒸発温度から冷凍用蒸発温度に切り替えるように構成した。
【００１４】
また、一個の蒸発器を冷蔵用蒸発温度とし、他の蒸発器を冷凍用蒸発温度として所定時間運転した後、前記の蒸発器に凝縮器から直接温冷媒を流入すると共に、後記の蒸発器を冷凍用蒸発温度から冷凍低温用蒸発温度に切り替え、かつ、後記の蒸発器で冷却した冷気の一部を冷蔵室内に吐出するように構成した。
【００１５】
また、一個の蒸発器を冷凍用蒸発温度とし、他の蒸発器を冷蔵用蒸発温度として所定時間運転した後、前記の蒸発器の蒸発温度を冷凍用蒸発温度から、冷凍用蒸発温度より低温の冷凍低温用蒸発温度に切換え、同時に、後記の蒸発器の蒸発温度を冷蔵用蒸発温度から冷凍用蒸発温度より低温の冷凍低温用蒸発温度に切換えた。
【００１６】
また、一個の圧縮機と複数の蒸発器等からなる一連の冷凍サイクルを有し、複数の蒸発器にそれぞれ冷気循環用ファンと冷気吐出用吐出ダンパーを独立に設置して、手動スイッチを操作することにより、複数の蒸発器がそれぞれ、冷凍用蒸発温度より低温の冷凍低温用蒸発温度を造りだすように構成した。
【００１７】
【発明の実施の形態】
以下本発明の詳細を図に示す一実施例で説明する。
【００１８】
図１は、本発明の第一の実施例を示す冷蔵庫縦断面図であり、図２はその冷蔵庫正面図である。図３は本発明の一実施例の冷気ダクト説明図であり、図４は吐出ダンパー説明図、図５は吸込ダンパー説明図である。図６は本発明の一実施例の冷凍サイクル説明図であり、図７はそのモリエル線図である。
【００１９】
先ず、本発明の一実施例を示す図１および図２において、１は冷蔵庫本体であり、その内部に、冷凍室２、冷凍低温室４、冷蔵低温室２１、冷蔵室２３を区画内蔵している。冷凍室２と冷凍低温室４は、通常は−１８℃から−２５℃程度の温度に保持されるが、冷凍室２内に区画板３と扉５で区画内蔵された冷凍低温室４は、後述するように、手動スイッチ８９を操作することにより−３０℃から−５０℃程度になるように構成されている。
【００２０】
１０および１１は冷凍室２の前面開口を開閉可能に閉鎖する冷凍室ドアであり、２４および２５は冷蔵室２３の前面開口を開閉可能に閉鎖する冷蔵室ドアである。
【００２１】
１４および１５は冷凍室２と冷蔵室２３を区画する区画壁内で、かつ、それぞれ独立の風路内に設置された蒸発器であり、後述するように、その蒸発温度はそれぞれ、霜や氷の生成しない冷蔵用蒸発温度と冷凍用蒸発温度および冷凍用蒸発温度より低温の冷凍低温用蒸発温度にできるように構成されている。
【００２２】
６は該左蒸発器１４および右蒸発器１５と冷凍室２を区画する上仕切であり、７は上仕切６と蒸発器の間を断熱する仕切断熱であり、該仕切断熱７の断熱性により蒸発器自身の温度が、上仕切６の上部に位置する冷凍室２や冷凍低温室４に影響を与えないように構成されている。
【００２３】
８は前記左蒸発器１４および右蒸発器１５と冷蔵室２３を区画する下仕切であり、９は下仕切８と蒸発器の間を断熱する仕切断熱であり、該仕切断熱９の断熱性程度を調整して蒸発器自身の温度が、下仕切８の下部に位置する冷蔵低温室２１に影響を与えて、後述するように冷蔵低温室２１を冷蔵室２３より低温となるように構成してある。
【００２４】
１６は前記左蒸発器１４で冷却された冷気を冷凍室および冷蔵室に送風循環して、各室を所定の温度に保持する左ファンであり、冷凍室２と冷蔵室２３を区画する区画壁の前仕切２０に設置されている。なお、該左ファン１６自身の回転数を後述する制御装置により独立に運転制御されて、高速運転から中速運転や低速運転あるいは運転停止等に任意に変化することにより、前述の左蒸発器１４の冷却力と相俟って、後述の右ファン１７が運転停止していても、冷凍室および冷蔵室を所定の温度に保持できるように設定してある。
【００２５】
１７は同様に、前記右蒸発器１５で冷却された冷気を冷蔵室および冷凍室に送風循環して、各室を所定の温度に保持する右ファンであり、冷凍室２と冷蔵室２３を区画する区画壁の前仕切２０に設置されている。該右ファン１７自身の回転数を後述する制御装置により独立に運転制御されて、高速運転から中速運転や低速運転あるいは運転停止等に任意に変化することにより、前述の右蒸発器１５の冷却力と相俟って、前述の左ファン１６が運転停止していても、冷凍室および冷蔵室を所定の温度に保持できるように設定してある。
【００２６】
１２は冷凍室２の戻り冷気を左蒸発器１４に戻すための左上吸込ダンパーであり、１３は冷凍室２の戻り冷気を右蒸発器１５に戻すための右上吸込ダンパーである。
【００２７】
１８は冷蔵室２３の戻り冷気を左蒸発器１４に戻すための左下吸込ダンパーであり、１９は冷蔵室２３の戻り冷気を右蒸発器１５に戻すための右下吸込ダンパーである。
【００２８】
前記上吸込ダンパー１２，１３および下吸込ダンパー１８，１９は図５にしめすように、それぞれ、バッフル１２ａ，１３ａおよび１８ａ，１９ａを有しており、後述する制御装置の指令により、ダンパーを全開放や全閉鎖あるいは、任意の開度にそれぞれ独自に設定できるように構成してある。
【００２９】
２６は左蒸発器１４で冷却された冷気を冷凍室および冷蔵室に送風するための左吐出ダンパーであり、２７は右蒸発器１５で冷却された冷気を冷蔵室および冷凍室に送風するための右吐出ダンパーである。
【００３０】
左吐出ダンパー２６および右吐出ダンパー２７は図４に示すように、それぞれ二枚のバッフルを有し、上バッフル２６ａおよび２７ａあるいは下バッフル２６ｂおよび２７ｂを後述する制御装置の指令によって回動させることにより、ダンパーを全開放や全閉鎖あるいは、任意の開度にそれぞれ独自に設定できるように、また、冷凍室ダクト３４のみに冷気を吐出したり、低温室ダクト３１のみに冷気を吐出したり、あるいは、冷蔵室ダクト３７のみに冷気を吐出したりすることができるように構成してある。
【００３１】
前記のように上バッフル２６ａおよび２７ａにより制御されて吐出された冷気の一部は、図３に示すように、低温室ダクト３１を経由して低温室冷気吐出口３１ａより吐出されて、冷凍低温室４を所定の温度に保持する。また、上バッフル２６ａおよび２７ａにより制御されて吐出された冷気の他の一部は、図３に示すように、冷凍冷気混合室３４ａで混合された後、冷凍室ダクト３４ｂを経由して冷凍室冷気吐出口３４ｃより吐出されて、冷凍室２を所定の温度に保持するように構成してある。
【００３２】
なお、冷凍室内に吐出される冷気は、その時その時の冷却状態により、左吐出ダンパー２６のみであったり、右吐出ダンパー２７のみであったりするが、前述の冷凍冷気混合室３４ａで渦状に混合された後吐出されるので、冷凍室２内を均一に冷却できるように構成してある。
【００３３】
また、下バッフル２６ｂおよび２７ｂにより制御されて吐出された冷気は、図３に示すように、冷蔵冷気混合室３７ａで混合された後、冷蔵室ダクト３７ｂを経由して冷蔵室冷気吐出口３７ｃより吐出されて、冷蔵室２３を所定の温度に保持するように構成してある。
【００３４】
なお、冷蔵室内に吐出される冷気は、その時その時の冷却状態により、左吐出ダンパー２６のみであったり、右吐出ダンパー２７のみであったりするが、前述の冷蔵冷気混合室３７ａで渦状に混合された後吐出されるので、冷蔵室２３内を均一に冷却できるように構成してある。
【００３５】
３８は混合室３７ａ内に設置された蓄熱剤であり、冷蔵室内の所定温度を保持するための補助的冷却をするように構成されている。
【００３６】
つまり、後述するように、冷蔵室を冷却するべき蒸発器が強制除霜パターン時に、冷蔵室を冷却するよう構成してある。
【００３７】
４０は運転回転数可変の圧縮機であり、前述の左蒸発器１４、右蒸発器１５および凝縮器４１等により後述する一連の冷凍サイクルを形成している。
【００３８】
以下、本発明の一連の冷凍サイクル構成例を図６により説明する。
【００３９】
圧縮機４０で所定の高温高圧力に圧縮され、凝縮器４１で所定の熱量を放熱された冷媒は先ず切換弁４３に入る。該切換弁４３は、後述する制御手段により、切換弁４３内で四方向に同時に分岐して流通できるように、また、四方向のいずれにも流通や停止が任意にできるように構成されている。
【００４０】
従って、切換弁４３内で四方向に分岐して、左冷媒弁４４、右冷媒弁４５、左バイパス弁４８、右バイパス弁４９に分流する。
【００４１】
左冷媒弁４４に流入した冷媒は左絞り機構４６で所定の圧力になるように減圧されて左蒸発器１４内で所定の蒸発温度となるように構成されている。
【００４２】
換言すれば、左絞り機構４６は、後述する制御装置の指令により、左蒸発器１４内での蒸発温度を図７のモリエル線図で示すように、霜や氷の生成しない冷蔵用蒸発温度９１と冷凍用蒸発温度９２およびマイナス４０℃以下の冷凍低温用蒸発温度９３を任意に造りだせるように構成してある。
【００４３】
同様に、右冷媒弁４５に流入した冷媒は右絞り機構４７で所定の圧力になるように減圧されて右蒸発器１５内で所定の蒸発温度となるように構成されている。
【００４４】
つまり、右絞り機構４７は、後述する制御装置の指令により、右蒸発器１５内での蒸発温度を図７のモリエル線図で示すように、霜や氷の生成しない冷蔵用蒸発温度９１と冷凍用蒸発温度９２およびマイナス４０℃以下の冷凍低温用蒸発温度９３を任意に造りだせるように構成してある。
【００４５】
左バイパス弁４８と右バイパス弁４９は通常の冷却運転時は閉鎖しており、後述する強制除霜運転時のみ開放して、凝縮器４１の温冷媒を直接蒸発器１４あるいは１５に流入して、該蒸発器１４あるいは１５に付着した霜や氷を完全に融解できるように構成してある。
【００４６】
５０は圧縮機４０が停止したときに冷媒が左蒸発器１４に逆流しないように設置した左逆止弁であり、５１は同様に、冷媒が右蒸発器１５に逆流しないように設置した右逆止弁である。
【００４７】
なお、以上の冷凍サイクルの冷凍能力としては、一個の蒸発器側のみ運転した場合でも、冷凍室２や冷凍低温室４および冷蔵低温室２１や冷蔵室２３を所定の温度に保持できる冷凍能力を持つように設定してあり、二個の蒸発器を同時運転した場合は更に低温度を保持できるように設定してある。
【００４８】
一例とすれば、左冷媒弁４４もしくは右冷媒弁４５を閉鎖して、どちらか一個の蒸発器側のみに冷媒を循環させるような運転をした場合でも、冷凍室２や冷凍低温室４を通常の冷凍室温度である−１８℃から−２５℃程度に保持できると同時に冷蔵低温室２１を−１℃程度の氷温室とし、冷蔵室２３を１℃から５℃程度の温度に保持できる冷凍能力を持つように設定してある。
【００４９】
なお、霜や氷の生成しない冷蔵用蒸発温度で冷却する冷蔵低温室２１を−１℃程度の氷温室とするために、もう一方の、より低温である冷凍用蒸発温度の蒸発器の影響を得られるように仕切断熱９の断熱性程度を調整設定するのは自明である。
【００５０】
また、左冷媒弁４４および右冷媒弁４５を同時に開放して左蒸発器１４と右蒸発器１５の両方に冷媒を循環させるような運転をした場合は、冷凍低温室４を通常の冷凍室温度より低温の−３０℃から−５０℃に保持できる冷凍能力を持つように設定してある。
【００５１】
なお、図７に示すように、蒸発温度をより低温にすると圧縮機に吸入される冷媒の比体積が大きくなる（図７の９３ａの状態点）ので、上記の設定は、圧縮機の冷媒循環量も、より大きく設定しておくことは自明である。
【００５２】
ここで、本発明例の冷気循環制御について、図８から図２１により説明する。
【００５３】
図８は本発明の一実施例の制御装置のブロック回路図であり、図９は前述の図２の左蒸発器１４を含む左側を断面して表わした冷蔵庫要部縦断面図であり、図１０は前述の図２の右蒸発器１５を含む右側を断面して表わした冷蔵庫要部縦断面図である。
【００５４】
また、図９と図１０は同一時刻におけるダンパー類の開閉状態を表示した冷蔵庫要部縦断面図でもあり、そのダンパー部の開閉状態を拡大して図１６から図２１に示すと共に、運転のタイミングチャートを図１１から図１３に示し、ファンからダンパーや冷凍室等への風路説明図を図１４から図１５に示す。
【００５５】
まず、冷蔵庫の初期始動時の運転制御を、図１１に示す始動時のタイミングチャートにより説明する。
【００５６】
図１１の縦軸は各部機器の状態、あるいは、蒸発器や室の温度を表わしており、横軸は「経過時間」を「ｔ１」や「ｔ２」，「ｔ３」，「ｔ４」・・・等で表わしている。
【００５７】
最上段の「運転状態」は蒸発器を主体として、「始動」運転時か、「定常」運転時か、あるいは、温度を「切替」運転中か、等を概略で表わしている。
【００５８】
また、「位置」表示の「左側」は図９の断面位置を表わし、「右側」は図１０の断面位置を表わしている。
【００５９】
「冷却方式」の「冷凍サイクル」は、図６で示した冷凍サイクルの蒸発器に冷媒を循環して運転した状態を表わし、「氷融解」は、蒸発器に冷媒を流さずに、該蒸発器に付着した霜や氷の融解熱を利用して冷却する運転を表わしている。
【００６０】
なお、圧縮機は一個であるが、その運転動作を説明の便宜上左側と右側に重複して記入してある。
【００６１】
以上を前提として、まず、冷蔵庫の初期始動時を「経過時間」の「ｔ１」で表し、該「ｔ１」時点で電源をＯＮすると、図８の制御手段９０が駆動手段８１を経由して圧縮機４０を始動させる。同時に駆動手段８２や８３が吐出ダンパー２６，２７や吸込ダンパー１２や１９および冷媒弁４４，４５を図１１のように開放させる。
【００６２】
圧縮機は通常の始動回転数は所定の中速運転であるが、制御手段９０の指令により所定時間が経過し「ｔ２」になると、冷凍室や冷蔵室をすばやく冷却するために高速運転に入る。「ｔ２」を基準として制御手段９０の指令により、左ファン１６と右ファン１７が室内の冷却を加速できるように高速運転に入る。
【００６３】
ここで、制御手段９０は所定のプログラミングにより、冷蔵庫の初期始動時は左蒸発器１４を図７に示す冷凍用蒸発温度９２とするように、かつ、右蒸発器１５を冷蔵用蒸発温度９１とするようにプログラムされている。従って、駆動手段８３を経由して左絞り機構４６や右絞り機構４７の減圧程度を決定指示する。同時に、制御手段９０は、左蒸発器１４で冷凍室２や冷凍低温室４を所定の温度に冷却できるように、かつ、右蒸発器１５で冷蔵室２３や冷蔵低温室２１を所定の温度に冷却できるように、ダンパー類の開度決定と指示を行なう。
【００６４】
上述のように決定されたダンパー類の開度例として、「ｔ２」時点の一例を図１６に示す。図１６（ａ）に示すように左側のダンパーは、冷凍用蒸発温度９２となるべき左蒸発器１４の冷気が冷凍室２および冷凍低温室４内に循環できるように、左吐出ダンパーの上バッフル２６ａが上全開となり、同時に、左上吸込ダンパーのバッフル１２ａが全開となる。
【００６５】
また、同時に、図１６（ｂ）に示すように右側のダンパーは、冷蔵用蒸発温度となるべき右蒸発器１５の冷気が冷蔵室２３内に循環できるように、右吐出ダンパーの下バッフル２７ｂが下全開となり、同時に、右下吸込ダンパーのバッフル１９ａが全開となる。
【００６６】
ここでダンパーが図１６の状態のときの冷蔵庫全体の風路を、図１４の始動時風路説明図により説明する。なお、冷気を強制循環させるファンは図２で説明したように、左ファン一個と右ファン一個であるが、説明を分かり易くするために図１４では、最上段と最下段に重複して表している。上記の前提にて図１４を説明すると、まず、左ファンの送風は左蒸発器の冷気を左吐出ダンパーから冷凍室や冷凍低温室に吐出する。冷凍室や冷凍低温室に吐出された冷気は室内を冷却した後、左上吸込ダンパーを経由して左ファンに戻る。同時に、右ファンの送風は右蒸発器の冷気を右吐出ダンパーから冷蔵室に吐出する。冷蔵室に吐出された冷気は室内を冷却した後、右下吸込ダンパーを経由して右ファンに戻る。
【００６７】
ここで、冷凍室や冷凍低温室に吐出される冷気は、左蒸発器のみで冷却された冷気であるが、前述したように、一個の蒸発器のみでも本冷蔵庫全体を所定の温度に冷却できる冷凍能力を有するように構成されているので、冷凍室や冷凍低温室を所定の温度にできることは自明である。
【００６８】
また、上述した風路説明は一例であり、ダンパーの開閉方法の組み合わせにより数多くの種類の冷却用風路方法を採用できるのも自明であり、その他の一例が図１５に示す冷凍低温時の風路例であり、後述するように、左蒸発器で冷却した冷気と、右蒸発器で冷却した冷気のいずれも冷凍室内（冷凍低温室を含む）に吐出したものである。
【００６９】
ここで、説明を、図８と図１１に戻す。
【００７０】
上述のようにして蒸発器温度が所定の温度になり、冷凍室や冷蔵室が設定温度になると、左蒸発器の温度センサー２８や右蒸発器の温度センサー２９、冷凍室の温度センサー３６、冷凍低温室の温度センサー３２、冷蔵室の温度センサー３９等の情報を図８の温度検出手段６３が検出し、制御手段９０が所定プログラミングとの比較手段６８等の情報や回転数感知手段６１、ダンパー開度検出手段６４、弁開閉検出手段６５等の情報を加味して決定し、駆動手段を経由して圧縮機回転数やファン回転数および各種ダンパーの開度を指令して、各室の所定温度を保持し図１１に示す経過時間「ｔ３」から「ｔ６」の状態を保持する。
【００７１】
「ｔ３」から「ｔ６」の状態がある所定時間続くと、左蒸発器１４自身に霜や氷が成長して冷却力を低下させる。
【００７２】
そこで、左蒸発器１４の理論的冷却力をプログラミングされた記憶手段８５の情報と、回転数感知手段６１や運転時間カウント手段６２あるいは温度検出手段６３等の実際の運転情報を積算手段６６や演算手段６７より入手し比較手段６８で比較して、制御手段９０が、左蒸発器１４自身に霜や氷が所定量付着したと判断したら、駆動手段８３を経由して図１１の「ｔ７」時点のように、左冷媒弁４４を閉鎖して冷媒流入を停止する。
【００７３】
同時に、左上吸込ダンパーを閉鎖して冷凍室冷気の蒸発器への影響を遮断する。
【００７４】
上述の状態である程度の時間が経過すると、ドア開閉による暖気の侵入や箱体の熱漏洩による影響で左蒸発器１４の温度が冷蔵用蒸発温度まで上昇する。
【００７５】
図１１の「ｔ９」時点のように左蒸発器１４の温度が冷蔵用蒸発温度となったら、図１８（ａ）で示すように、左吐出ダンパーの下バッフル２６ｂを開放し、同時に左下吸込ダンパーのバッフル１８ａを開放して、かつ、左ファン１６を高速運転もしくは中速運転して、冷蔵室内を左蒸発器１４自身に付着した霜や氷の融解熱によって冷却する。
【００７６】
一方、図１１の右側に表示してある、冷蔵室を冷却していた右蒸発器１５は、冷蔵用蒸発温度が着霜温度以上にしてあるため長時間運転しても、霜や氷の付着は無い。
【００７７】
この右蒸発器１５を「ｔ７」時点で、制御手段９０の指示により、冷蔵用蒸発温度から冷凍用蒸発温度に切り替える。同時に右吐出ダンパーの下バッフル２７ｂと、右下吸込ダンパーのバッフル１９ａを閉鎖して、冷蔵室温度が必要以上に低温になるのを防止する。
【００７８】
圧縮機が所定の回転数で回転し「ｔ９」時点で右蒸発器１５が冷凍用蒸発温度に達したら、右吐出ダンパーの上バッフル２７ａと、右上吸込ダンパーのバッフル１３ａを開放して冷凍室や冷凍低温室の冷却を開始する。
【００７９】
参考のために、上述の「ｔ６」時点と「ｔ１０」時点のダンパー開閉状態を図１７と図１８に示す。
【００８０】
以上のように、左蒸発器で冷凍室と冷蔵室を交互に冷却し、同時に、右蒸発器で冷蔵室と冷凍室を交互に冷却することにより、蒸発器に付着した霜や氷の融解熱を利用して冷却し、かつ、同時に、蒸発器に付着した霜や氷を融解する方式であるが、冷蔵庫の使用状態や据付環境あるいは冷蔵冷凍食品の貯蔵状態によっては、ある時間経過すると蒸発器に付着した霜や氷が完全には融解しない場合がある。
【００８１】
その場合は、制御手段９０が、外気温度センサー３５や冷凍室の温度センサー３６等の情報を温度検出手段６３等で検出し、積算手段６６や演算手段６７等の情報を加味して比較手段６８により、理論的冷却力を初期段階でプログラミングされた記憶手段８５との比較等を行い蒸発器の強制除霜運転を決定し指示する。
【００８２】
蒸発器の強制除霜運転例を図１２により説明する。
【００８３】
図１２の表示方法は、図１１の表示方法と同様であり、縦軸は各部機器の状態、あるいは、蒸発器の温度を表わしており、横軸は「経過時間」を「ｔ１２」や「ｔ１４」、「ｔ１５」・・・等で表わしている。
【００８４】
「ｔ１２」時点を前述の「ｔ１０」時点の継続運転状態とし、「ｔ１４」時点を制御手段９０が左蒸発器の強制除霜運転を決定指示した時点とする。
【００８５】
「ｔ１４」時点で制御手段９０が左蒸発器の強制除霜運転を指示すると、同時に、左ファン１４を運転停止し、左吐出ダンパー２６を閉鎖し、左下吸込ダンパー１８を閉鎖して冷蔵室への影響を遮断する。同時に、圧縮機が運転中であり、凝縮器の温度センサー４２が所定の温度であることを確認した後、左バイパス弁４８を所定時間開放して凝縮器４１の温冷媒を直接左蒸発器１４に流入させて、該左蒸発器１４に付着している霜や氷を完全に融解する。
【００８６】
「ｔ１４」から所定時間経過して左蒸発器１４に付着していた霜や氷が完全に融解したのを温度センサー２８等で確認したら、制御手段９０の指示により、左冷媒弁４４を開放して左蒸発器１４の冷却を始める。
【００８７】
左冷媒弁４４を開放した時点を「ｔ１５」とすると、該冷媒弁４４を経た冷媒が左絞り機構４６で所定の圧力に減圧されて左蒸発器１４に流入する「ｔ１６」時点で左バイパス弁４８を閉鎖する。
【００８８】
バイパス弁４８を閉鎖して、かつ、左蒸発器が冷蔵用蒸発温度まで冷却されたら（図１２の「ｔ１８」時点）所定の時間経過後（「ｔ１８」から「ｔ１９」までの時間経過後）に、霜や氷が完全に融解された効率の良い左蒸発器１４の設定温度を、冷蔵用蒸発温度から冷凍用蒸発温度に切り換えて、冷凍室や冷凍低温室を冷却するように各種ダンパーを図１２の「ｔ２１」から「ｔ２３」のように開閉する。
【００８９】
なお、左蒸発器を強制除霜運転している間の冷蔵室の冷却保障としては、図１２の「右側」に示すように、左蒸発器が強制除霜運転に入る時間「ｔ１４」と同時刻に右蒸発器１５の温度を冷凍用蒸発温度からより低温の冷凍低温用蒸発温度に切り替えて、かつ、図２１（ｂ）に示すように、右吐出ダンパーの下バッフル２７ｂを所定時間開閉し、同時に右下吸込ダンパーのバッフル１９ａを所定量開放して冷蔵室の冷却を保障するようにしてある。
【００９０】
次に冷凍低温運転について図１と図１３により説明する。
【００９１】
本発明の冷蔵庫は前述したように、冷凍低温室４は通常は省エネの観点から冷凍室２と同一の温度に保持されているが、冷蔵庫使用者がドアの操作盤８７に設置された手動スイッチ８９を操作することにより、通常の冷凍室温度より低温の温度、たとえば、−３０℃から−５０℃程度の温度に所定時間保持できるように構成されている。
【００９２】
なお、冷蔵庫が冷凍低温運転に入っていることや、冷凍低温運転時間等を表示灯８８で表示するように構成されている。
【００９３】
冷凍低温運転にするために、手動スイッチ８９を操作した時点を図１３の「ｔ２５」時点とすると、前述の制御手段９０の指示により、左蒸発器の温度はそれまで運転していた冷凍用蒸発温度からより低温の冷凍低温用蒸発温度に設定され、同時に、圧縮機やファンが高速運転になり、左上吸込ダンパーの上バッフル２６ａが全開となる。
【００９４】
同時に、右蒸発器の温度はそれまで運転していた氷融解運転から、右冷媒弁４５を開放して冷凍サイクル運転となり、設定温度も冷蔵用蒸発温度から冷凍低温用蒸発温度に設定される。
【００９５】
右蒸発器の温度が冷凍低温用蒸発温度になると（「ｔ２６」の時点）右吐出ダンパーの上バッフル２７ａが中間開放し、同時に右上吸込ダンパーのバッフル１３ａが全開して図１９（ｂ）に示すように、右蒸発器で冷却した冷気の全量を低温室ダクト３１を経由して冷凍低温室４に流入させる。
【００９６】
冷凍低温室４が所定の冷凍低温室設定温度になると（「ｔ２７」時点）左蒸発器の設定温度を冷凍用蒸発温度に戻して、左蒸発器で冷凍室全体を冷却し、右蒸発器では冷凍低温室を重点的に冷却する。
【００９７】
なお、冷凍低温運転の所定時間（ｔ２５からｔ３０）は冷蔵室を専用に冷却する蒸発器が無いので、右蒸発器で冷却した冷気の一部と、左蒸発器で冷却した冷気の一部とを交互に、図２０に示すように冷蔵室ダクト３７に送風循環して、該ダクトに設置した蓄熱剤３８を冷却して、該蓄熱剤３８の冷却力で冷蔵室の温度保障をするように構成してある。
【００９８】
次に本発明の第二の実施例について、図２２に示す冷凍サイクル説明図により説明する。
【００９９】
４０は運転回転数可変の圧縮機であり、該圧縮機４０で所定の高温高圧力に圧縮され、凝縮器４１で所定の熱量を放熱された冷媒は、切換弁５５に入る。切換弁５５内で二方向に分岐されて、左複合弁５６と右複合弁５７に分流する。
【０１００】
左複合弁５６と右複合弁５７は、制御装置の指示により、冷媒の通過機能と停止機能のほかに、流通する冷媒の圧力を所定の圧力まで減圧できる機能を有している。つまり、前述の図６に示した冷媒弁４４や４５の機能とバイパス弁４８や４９の機能を有し、同時に、絞り機構４６や４７の機能を有している。
【０１０１】
従って、左複合弁５６や右複合弁５７を通過した冷媒で、蒸発器１４や１５を所定の蒸発温度にできることは勿論、前述の氷融解冷却運転や強制除霜運転、冷凍低温運転等も可能になり、しかも、弁類の使用個数を低減できるので冷凍サイクルの配管類の簡素化が計れる。
【０１０２】
次に本発明の第三の実施例について図２３から図２５により説明する。
【０１０３】
図２３は本発明の第三の実施例を示す冷凍サイクル説明図であり、図２４は本発明の第三の実施例を示す冷蔵庫正面図、図２５は図２４の冷気ダクト説明図である。まず、図２４において、１０１が冷凍室、１０２が冷凍低温室、１１５が冷蔵室である。１０６は左蒸発器、１０７は中蒸発器、１０８は右蒸発器であり、該蒸発器１０６、１０７、１０８、は冷凍室１０１と冷蔵室１０２を区画する区画壁１２７内に、かつ、それぞれ独立の風路を形成して該風路内に設置された蒸発器であり、その蒸発温度はそれぞれ、霜や氷の生成しない冷蔵用蒸発温度と冷凍用蒸発温度および冷凍用蒸発温度より低温の冷凍低温用蒸発温度にできるように構成されている。
【０１０４】
左蒸発器１０６は、該蒸発器の冷気を冷凍室１０１や冷凍低温室１０２あるいは、冷蔵室１１５に送風循環して各室を所定の温度に冷却できるように、左蒸発器１０６専用の左ファン１０９、左吐出ダンパー１２１、左上吸込ダンパー１０３、および左下吸込ダンパー１１２を有しており、かつ、後述の中蒸発器１０７や右蒸発器１０８が運転停止していても、冷凍室１０１や冷凍低温室１０２あるいは、冷蔵室１１５を所定の温度に冷却できる冷凍能力を備えるように設定されている。
【０１０５】
同様に、中蒸発器１０７は、該蒸発器の冷気を冷凍室１０１や冷凍低温室１０２あるいは、冷蔵室１１５に送風循環して各室を所定の温度に冷却できるように、中蒸発器１０７専用の中ファン１１０、中吐出ダンパー１２２、中上吸込ダンパー１０４、および中下吸込ダンパー１１３を有しており、かつ、前述の左蒸発器１０６や後述の右蒸発器１０８が運転停止していても、冷凍室１０１や冷凍低温室１０２あるいは、冷蔵室１１５を所定の温度に冷却できる冷凍能力を備えるように設定されている。
【０１０６】
また、右蒸発器１０８は、該蒸発器の冷気を冷凍室１０１や冷凍低温室１０２あるいは、冷蔵室１１５に送風循環して各室を所定の温度に冷却できるように、右蒸発器１０８専用の右ファン１１１、右吐出ダンパー１２３、右上吸込ダンパー１０５、および右下吸込ダンパー１１４を有しており、かつ、前述の中蒸発器１０７や左蒸発器１０６が運転停止していても、冷凍室１０１や冷凍低温室１０２あるいは、冷蔵室１１５を所定の温度に冷却できる冷凍能力を備えるように設定されている。
【０１０７】
なお、前記の吐出ダンパー１２１や１２２，１２３および吸込ダンパー１０３や１０４，１０５，１１２，１１３，１１４は前述の図４および図５に示す吐出ダンパー２６や２７および吸込ダンパー１２や１３，１８，１９と同一の機能を有している。
【０１０８】
また、図２５に示すように、吐出ダンパー１２１や１２２および１２３より吐出された冷気は、冷凍冷気混合室１１７あるいは、冷蔵冷気混合室１２５により混合された後に各室に吐出されるので、各室を均一に冷却できる。
【０１０９】
なお、図２３に示すように、切換弁１３３で分岐された冷媒は、冷媒の通過機能と停止機能および、流通する冷媒の圧力を所定の圧力まで減圧できる機能を有した複合弁１３４や１３５、１３６により制御されてから、蒸発器に流入するように設定されている。
【０１１０】
従って、第一の実施例で説明した機能や効果を同様に発揮すると同時に、所定の冷凍能力のある蒸発器を三個有しているので、冷凍低温運転における冷凍低温用蒸発温度をより極低温にすることができる。
【０１１１】
また、蒸発器を三個有しているので、一個を強制除霜運転、他の一個を冷凍低温蒸発温度での強制冷却運転とした、前述の図１２で説明した「ｔ１４」から「ｔ１８」の間の冷蔵室内を、三個目の蒸発器で冷却保障すればより完璧な温度保障となる。
【０１１２】
【発明の効果】
この発明は次に記載する効果を奏する。
【０１１３】
請求項１の冷蔵庫は、一個の圧縮機と複数の蒸発器等からなる一連の冷凍サイクルを有し、複数の蒸発器にそれぞれ、冷蔵用蒸発温度と冷凍用蒸発温度を任意に造りだす絞り機構を設置したので、いずれの蒸発器でも冷凍室あるいは冷蔵室を冷却できる使い勝手のよい冷蔵庫を提供できる。
【０１１４】
請求項２の冷蔵庫は、複数の蒸発器にそれぞれ、冷蔵用蒸発温度と冷凍用蒸発温度および冷凍用蒸発温度より低温の冷凍低温用蒸発温度を任意に造りだす絞り機構を設置したので、いずれの蒸発器でも冷蔵室あるいは冷凍室あるいは冷凍室より低温度の冷凍低温室を冷却できる使い勝手のよい冷蔵庫を提供できる。
【０１１５】
請求項３の冷蔵庫は、複数の蒸発器にそれぞれ冷蔵用蒸発温度と冷凍用蒸発温度を任意に造りだす絞り機構を設置し、かつ、複数の蒸発器にそれぞれ、凝縮器からの温冷媒を直接流入できるバイパス弁を設置したので、いずれの蒸発器でも冷凍室あるいは冷蔵室を冷却できると共に、加熱ヒータを使用しないで、蒸発器に付着した霜や氷を融解できるので、イソブタン等の可燃性冷媒を使用しても引火の心配の無い冷蔵庫を提供できる。
【０１１６】
請求項４の冷蔵庫は、複数の蒸発器にそれぞれ、冷蔵用蒸発温度と冷凍用蒸発温度を任意に造りだす絞り機構を設置し、かつ、複数の蒸発器にそれぞれ任意に冷媒を流入できる切換弁を設置したので、いずれの蒸発器でも冷凍室あるいは冷蔵室を冷却できると共に、いずれの蒸発器にも必要に応じて冷媒を流通できる、省エネに優れた冷蔵庫を提供できる。
【０１１７】
請求項５の冷蔵庫は、複数の蒸発器にそれぞれ任意に冷媒を流入できると共に、複数の蒸発器に同時に冷媒を流入できる切換弁を設置したので、いずれの蒸発器にも必要に応じて冷媒を流通できると共に、複数の蒸発器で同時に冷却できる冷凍能力に優れた冷蔵庫を提供できる。
【０１１８】
請求項６の冷蔵庫は、複数の蒸発器にそれぞれ、冷気循環用ファンと冷気吐出用吐出ダンパーおよび冷気吸い込み用吸込ダンパーを設置したので、いずれの蒸発器でも単独にて冷蔵室あるいは冷凍室を冷却できるとともに、各室の冷却力を互いの蒸発器で補完できる冷却機能を有した冷蔵庫を提供できる。
【０１１９】
請求項７の冷蔵庫は、複数の蒸発器にそれぞれ冷気循環用ファンと冷気吐出用吐出ダンパーを独立に設置し、かつ、吐出されたそれぞれの冷気を混合する冷気混合室を設置したので、いずれの蒸発器でも単独にて冷蔵室あるいは冷凍室を均一に冷却できるとともに、各室の冷却力を互いの蒸発器で補完できる冷却機能を有した冷蔵庫を提供できる。
【０１２０】
請求項８の冷蔵庫は、複数の蒸発器にそれぞれ冷気循環用ファンと冷気吐出用吐出ダンパーを独立に設置し、一個の蒸発器を冷凍用蒸発温度とし、他の蒸発器を霜や氷の生成しない冷蔵用蒸発温度として所定時間運転した後、前記の蒸発器を冷凍用蒸発温度から、霜や氷の融解する冷蔵用蒸発温度に切り替えると共に、後記の蒸発器を冷蔵用蒸発温度から冷凍用蒸発温度に切り替えるように構成したので、いずれの蒸発器でも単独にて冷蔵室あるいは冷凍室を冷却できるとともに、冷凍用蒸発温度として使用する期間に付着した霜や氷の融解熱を利用して冷蔵室を冷却できる冷蔵庫を提供でき、しかも、加熱ヒータを使用しないで、蒸発器に付着した霜や氷を融解できるので、イソブタン等の可燃性冷媒を使用しても引火の心配の無い冷蔵庫を提供できる。
【０１２１】
請求項９の冷蔵庫は、一個の蒸発器を冷凍用蒸発温度とし、他の蒸発器を霜や氷の生成しない冷蔵用蒸発温度として所定時間運転した後、前記の蒸発器に流入する冷媒を停止すると共に、後記の蒸発器を冷蔵用蒸発温度から冷凍用蒸発温度に切り替えるように構成したので、常に冷凍室温度を所定の温度に保持できると共に、冷凍用蒸発温度として使用する期間に付着した霜や氷の融解熱を利用して冷蔵室を冷却できる省エネに優れた冷蔵庫を提供でき、しかも、加熱ヒータを使用しないで、蒸発器に付着した霜や氷を融解できるので、イソブタン等の可燃性冷媒を使用しても引火の心配の無い冷蔵庫を提供できる。
【０１２２】
請求項１０の冷蔵庫は、複数の蒸発器にそれぞれ冷気循環用ファンと冷気吐出用吐出ダンパーを独立に設置し、一個の蒸発器を冷蔵用蒸発温度とし、他の蒸発器を冷凍用蒸発温度として所定時間運転した後、前記の蒸発器に凝縮器から直接温冷媒を流入すると共に、後記の蒸発器を冷凍用蒸発温度から冷凍低温用蒸発温度に切り替え、かつ、後記の蒸発器で冷却した冷気の一部を冷蔵室内に吐出するように構成したので、常に冷蔵室温度を所定の温度に保持できると共に、加熱ヒータを使用しないで、蒸発器に付着した霜や氷を融解できる冷蔵庫を提供できる。
【０１２３】
請求項１１の冷蔵庫は、複数の蒸発器にそれぞれ冷気循環用ファンと冷気吐出用吐出ダンパーを独立に設置し、一個の蒸発器を冷凍用蒸発温度とし、他の蒸発器を冷蔵用蒸発温度として所定時間運転した後、前記の蒸発器の蒸発温度を冷凍用蒸発温度から、冷凍用蒸発温度より低温の冷凍低温用蒸発温度に切換え、同時に、後記の蒸発器の蒸発温度を冷蔵用蒸発温度から冷凍用蒸発温度より低温の冷凍低温用蒸発温度に切換えたので、複数の蒸発器で冷却する冷凍能力に優れた冷凍室温度より低温の冷凍低温室を有する冷蔵庫を提供できる。
【０１２４】
請求項１２の冷蔵庫は、複数の蒸発器にそれぞれ冷気循環用ファンと冷気吐出用吐出ダンパーを独立に設置し、手動スイッチを操作することにより、複数の蒸発器がそれぞれ、冷凍用蒸発温度より低温の冷凍低温用蒸発温度を造りだすように構成したので、冷蔵庫使用者の都合に合わせて、複数の蒸発器で冷却する冷凍能力に優れた冷凍室温度より低温の冷凍低温室を有する冷蔵庫を提供できる。
【図面の簡単な説明】
【図１】本発明の一実施例の冷蔵庫縦断面図。
【図２】本発明の一実施例の冷蔵庫正面図。
【図３】本発明の一実施例の冷気ダクト説明図。
【図４】本発明の一実施例の吐出ダンパー説明図。
【図５】本発明の一実施例の吸込ダンパー説明図。
【図６】本発明の一実施例の冷凍サイクル説明図。
【図７】本発明の一実施例のモリエル線図。
【図８】本発明の一実施例の制御装置のブロック回路図。
【図９】本発明の一実施例の冷蔵庫要部縦断面図。
【図１０】本発明の一実施例の冷蔵庫要部縦断面図。
【図１１】本発明の一実施例の始動時を示すタイミングチャート。
【図１２】本発明の一実施例の除霜時を示すタイミングチャート。
【図１３】本発明の一実施例の冷凍低温時を示すタイミングチャート。
【図１４】本発明の一実施例の始動時風路説明図。
【図１５】本発明の一実施例の定常時風路説明図。
【図１６】本発明の一実施例の始動時ダンパー開閉状態説明図。
【図１７】本発明の一実施例の定常時ダンパー開閉状態説明図。
【図１８】本発明の一実施例の氷融解冷却時ダンパー開閉状態説明図。
【図１９】本発明の一実施例の冷凍低温時ダンパー開閉状態説明図。
【図２０】本発明の一実施例の冷凍低温後のダンパー開閉状態説明図。
【図２１】本発明の一実施例の混合冷却時ダンパー開閉状態説明図。
【図２２】本発明の第二の実施例を示す冷凍サイクル説明図。
【図２３】本発明の第三の実施例を示す冷凍サイクル説明図。
【図２４】本発明の第三の実施例を示す冷蔵庫正面図。
【図２５】本発明の第三の実施例を示す冷気ダクト説明図。
【符号の説明】
１…冷蔵庫本体、２…冷凍室、４…冷凍低温室、６…上仕切、７…仕切断熱、１２…左上吸込ダンパー、１３…右上吸込ダンパー、１４…左蒸発器、１５…右蒸発器、１６…左ファン、１７…右ファン、１８…左下吸込ダンパー、１９…右下吸込ダンパー、２０…前仕切、２１…冷蔵低温室、２３…冷蔵室、２６…左吐出ダンパー、２７…右吐出ダンパー、２８…温度センサー、２９…温度センサー、３１…低温室ダクト、３１ａ…低温室冷気吐出口、３２…温度センサー、３４…冷凍室ダクト、３４ａ…冷凍冷気混合室、３４ｂ…冷凍室ダクト、３４ｃ…冷凍室冷気吐出口、３７…冷蔵室ダクト、３７ａ…冷蔵冷気混合室、３７ｂ…冷蔵室ダクト、３７ｃ…冷蔵室冷気吐出口、３８…蓄熱剤、４０…圧縮機、４１…凝縮器、４２…温度センサー、４３…切換弁、４４…左冷媒弁、４５…右冷媒弁、４６…左絞り機構、４７…右絞り機構、４８…左バイパス弁、４９…右バイパス弁、５０…左逆止弁、５１…右逆止弁、５５…切換弁、５６…左複合弁、５７…右複合弁、８７…操作盤、８８…表示灯、８９…手動スイッチ、９０…制御手段、９１…冷蔵用モリエル線図、９２…冷凍用モリエル線図、９３…冷凍低温用モリエル線図、１０６…左蒸発器、１０７…中蒸発器、１０８…右蒸発器、１３３…切換弁、１３４…左複合弁、１３５…中複合弁、１３６…右複合弁。
【図１】
2004324943.tif 000003
【図２】
2004324943.tif 000004
【図３】
2004324943.tif 000005
【図４】
2004324943.tif 000006
【図５】
2004324943.tif 000007
【図６】
2004324943.tif 000008
【図７】
2004324943.tif 000009
【図８】
2004324943.tif 000010
【図９】
2004324943.tif 000011
【図１０】
2004324943.tif 000012
【図１１】
2004324943.tif 000013
【図１２】
2004324943.tif 000014
【図１３】
2004324943.tif 000015
【図１４】
2004324943.tif 000016
【図１５】
2004324943.tif 000017
【図１６】
2004324943.tif 000018
【図１７】
2004324943.tif 000019
【図１８】
2004324943.tif 000020
【図１９】
2004324943.tif 000021
【図２０】
2004324943.tif 000022
【図２１】
2004324943.tif 000023
【図２２】
2004324943.tif 000024
【図２３】
2004324943.tif 000025
【図２４】
2004324943.tif 000026
【図２５】
2004324943.tif 000027